(57)【要約】【課題】簡易かつ低廉に大きな開口部を得られるおにぎり包装材及びこのおにぎり包装材に包装されたおにぎり包装体を提供する。【解決手段】おにぎり包装材でおにぎりを包装したおにぎり包装体を開封する際、外フィルムに形成された引き裂き部を引き裂くことによって、おにぎり包装材を左右に分断し、分断した左右のおにぎり包装材をそれぞれ引っ張って取り去ることにより、おにぎりにシート状食品が被さった状態にできるようにしたおにぎり包装材において、引き裂き部は、幅の長さが均一な帯状体であって、引き裂き部に、外フィルムの表側からラベルが貼着されており、ラベルの貼着面の一部に引き裂き部に貼着させるための開口用貼着剤塗布部が設けられており、開口用貼着剤塗布部は、その引き裂き開始側が引き裂き部の幅内に位置すると共に、引き裂き終了側が引き裂き部の幅外に位置するように、左右方向の幅が引き裂き方向に向けて漸次増大する形状を有する。【選択図】図１
2015029424.tif 000002
【特許請求の範囲】
【請求項１】
おにぎりに被せるシート状食品を収容した外フィルムと内フィルムとを有する袋状のおにぎり包装材であって、前記おにぎり包装材で前記おにぎりを包装したおにぎり包装体を開封する際、前記外フィルムに形成された引き裂き部を引き裂くことによって、前記おにぎり包装材を左右に分断し、分断した左右の前記おにぎり包装材をそれぞれ引っ張って取り去ることにより、前記おにぎりに前記シート状食品が被さった状態にできるようにしたおにぎり包装材において、
前記引き裂き部は、幅の長さが均一な帯状体であって、
前記引き裂き部に、前記外フィルムの表側からラベルが貼着されており、
前記ラベルの貼着面の一部に前記引き裂き部に貼着させるための開口用貼着剤塗布部が設けられており、
前記開口用貼着剤塗布部は、その引き裂き開始側が前記引き裂き部の幅内に位置すると共に、引き裂き終了側が前記引き裂き部の幅外に位置するように、左右方向の幅が引き裂き方向に向けて漸次増大する形状を有するおにぎり包装材。
【請求項２】
前記ラベルの開口用貼着剤塗布部を除く貼着面の少なくとも一部に、前記開口用貼着剤塗布部よりも接着力の弱い接着用貼着剤塗布部が設けられている請求項１記載のおにぎり包装材。
【請求項３】
前記外フィルムの前記開口用貼着剤塗布部の位置に対応する部分に、引き裂き方向に向けて、前記引き裂き部の幅内から幅外に向かう弱め線又は切断線が設けられている請求項１又は請求項２に記載のおにぎり包装材。
【請求項４】
シート状食品が収容された請求項１から請求項３のいずれかに記載の包装材。
【請求項５】
請求項４の包装材によっておにぎりを包装したおにぎり包装体。
【発明の詳細な説明】
【技術分野】
【０００１】
本発明は、おにぎりとおにぎりに被せるシート状食品を互いに隔離した状態で包装するおにぎり包装材に関するものである。
【背景技術】
【０００２】
従来より、おにぎりとおにぎりに被せるシート状食品を互いに隔離した状態で包装したおにぎり包装体から容易に内容物を取り出すことが可能なおにぎり包装材として、おにぎり包装体の開封時における表シートの開封面積を大きくすることができるおにぎり包装材が知られている。かかるおにぎり包装材は、表シートの幅方向の略中央に開封用のカットテープが設けられ、このカットテープは両端部を除いて幅広に形成された幅広部を有するものである（例えば、特許文献１）。
【先行技術文献】
【特許文献】
【０００３】
【特許文献１】特開２０００−１３９３８２号公報
【発明の概要】
【発明が解決しようとする課題】
【０００４】
しかしながら、このようなおにぎり包装材の場合、適宜の位置で幅広になる変則的な形状のカットテープが必要となるため、コストが高くなっていた。また、製造工程においても、従来、この種の包装材に使用されるカットテープは、幅の長さが均一なものが使用されていたため、長尺状のカットテープを巻回したものを順次繰り出して、包装材に取り付けていたが、上記したおにぎり包装材においては、変則的なカットテープの幅広部がおにぎり包装体の適宜の位置に配置される必要があるので、従来の製造工程を利用しておにぎり包装材及びおにぎり包装体を製造することが困難であった。
【０００５】
本発明は上記課題に鑑みてなされたものであって、その目的とするところは、簡易かつ低廉に大きな開口部を得ることができるおにぎり包装材及びこのおにぎり包装材に包装されたおにぎり包装体を提供することにある。
【課題を解決するための手段】
【０００６】
前記した目的を達成するために、本発明に係るおにぎり包装体は、おにぎりに被せるシート状食品を収容した外フィルムと内フィルムとを有する袋状のおにぎり包装材であって、前記おにぎり包装材で前記おにぎりを包装したおにぎり包装体を開封する際、前記外フィルムに形成された引き裂き部を引き裂くことによって、前記おにぎり包装材を左右に分断し、分断した左右の前記おにぎり包装材をそれぞれ引っ張って取り去ることにより、前記おにぎりに前記シート状食品が被さった状態にできるようにしたおにぎり包装材において、前記引き裂き部は、幅の長さが均一な帯状体であって、前記引き裂き部に、前記外フィルムの表側からラベルが貼着されており、前記ラベルの貼着面の一部に前記引き裂き部に貼着させるための開口用貼着剤塗布部が設けられており、前記開口用貼着剤塗布部は、その引き裂き開始側が前記引き裂き部の幅内に位置すると共に、引き裂き終了側が前記引き裂き部の幅外に位置するように、左右方向の幅が引き裂き方向に向けて漸次増大する形状を有する。
【０００７】
また、前記ラベルの開口用貼着剤塗布部を除く貼着面の少なくとも一部に、前記開口用貼着剤塗布部よりも接着力の弱い接着用貼着剤塗布部が設けることができる。
【０００８】
また、前記外フィルムの前記開口用貼着剤塗布部の位置に対応する部分に、引き裂き方向に向けて、前記引き裂き部の幅内から幅外に向かう弱め線又は切断線を設けることができる。
【０００９】
また、この包装材にシート状食品を収納し、おにぎりを包装しておにぎり包装体とすることができる。
【発明の効果】
【００１０】
このように、本発明に係るおにぎり包装体によれば、簡易かつ低廉に大きな開口部を得ることが可能となる。
【図面の簡単な説明】
【００１１】
【図１】本発明の一実施形態に係るおにぎり包装材にシート状食品が収容された状態の平面図である。
【図２】本発明の一実施形態に係るおにぎり包装材にシート状食品が収容された状態の底面図である。
【図３】本発明の一実施形態に係るおにぎり包装材の外フィルムのみの底面図である。
【図４】本発明の別実施形態に係るおにぎり包装材の外フィルムのみの底面図である。
【図５】本発明の一実施形態に係るおにぎり包装材にシート状食品が収容された状態でおにぎりを包装する工程の一部を示す図である。
【図６】本発明の一実施形態に係るおにぎり包装体の斜視図である。
【図７】本発明の一実施形態に係るおにぎり包装体の開封方法を示す説明図である。
【発明を実施するための形態】
【００１２】
以下、本発明に係る実施形態を図面に従って説明するが、本発明はこの実施形態に限定されるものではない。
【００１３】
図１は、本発明の一実施形態に係るおにぎり包装材１（以下、「包装材」という。）の平面図（包装材１の外フィルム１１面側の図）である。図２は、本発明の一実施形態に係る包装材１の底面図（包装材１の内フィルム１２面側の図）である。
【００１４】
本実施形態に係る包装材１は、おにぎり７に被せるシート状食品８を収容した外フィルム１１と内フィルム１２とを有する袋状のものであって、前記包装材１で前記おにぎり７を包装したおにぎり７包装体を開封する際、前記外フィルム１１に形成された引き裂き部２を引き裂くことによって、前記包装材１を左右に分断し、分断した左右の前記包装材１をそれぞれ引っ張って取り去ることにより、前記おにぎり７に前記シート状食品８が被さった状態にできるものである。
【００１５】
この包装材１に包まれるおにぎり７は、三角形状の表面及び裏面と、左右の傾斜面と、底面とからなる三角形状のものであるが、大きさ、米の種類、味付け等は特に限定されない。
【００１６】
シート状食品８は、本実施形態においては焼き海苔を使用しているが、例えば、ゼラチンでシート状に形成された昆布や鰹節、薄焼き卵等、シート状に形成された食品であればどのようなものでもかまわない。シート状食品８の左右方向の（短手方向）の幅は、おにぎり７の底面の一辺の長さと同じかやや長く、上下方向（長手方向）の長さは、おにぎり７の表面、底面及び裏面を覆う長さである。
【００１７】
包装材１は、図１及び図２に示すように、縦長の略長方形状の外フィルム１１と、外フィルム１１の左右方向略中央（短手方向の略中央）で端部が重合するように配され、外フィルム１１と左右の各縁部（長手方向の両側縁部１３）と接着された２枚の略長方形状の内フィルム１２とから構成される。
【００１８】
外フィルム１１は、２軸延伸ポリプロピレン（ＯＰＰフィルム）等の合成樹脂製の耐水性、防湿性の高いフィルムが使用される。
【００１９】
外フィルム１１の上縁１４の略中央から下縁１５の略中央にわたって幅の長さが均一な帯状体の引き裂き部２が設けられている。本実施形態における引き裂き部２は、外フィルム１１の上縁１４の略中央から下縁１５の略中央にわたって、幅の長さが均一な２本のカットテープ２１を平行に設けて帯状体の引き裂き部２としている。つまり、２本のカットテープ２１の両外縁間が引き裂き部２となる。カットテープ２１は、外フィルム１１の裏面にヒートシールすることにより固着されている。
【００２０】
引き裂き部２は、上記構成に限られず、例えば、幅の長さが均一な幅広の１本のカットテープ２１を外フィルム１１の裏面に、上縁１４の略中央から下縁１５の略中央にわたってヒートシールすることにより固着し、この幅広のカットテープ２１自体を引き裂き部２とすることもできる。
【００２１】
また、外フィルム１１の上縁１４及び下縁１５近傍の引き裂き部２の左右に切込み２２を形成することにより、摘み片を設けている。なお、摘み部２３は開封する際に摘まむ側（本実施形態においては上縁１４側）のみに設けてもよい。
【００２２】
引き裂き部２には、外フィルム１１の表側からラベル３が貼着されている。ラベル３は、商品名、価格、製造元、製造年月日等が印刷される表示面３１と、貼着剤が塗布される貼着面３２とを有している。貼着面３２の一部に引き裂き部２に貼着させるための開口用貼着剤塗布部４が設けられている。また、ラベル３の開口用貼着剤塗布部４を除く貼着面３２の少なくとも一部に、開口用貼着剤塗布部４よりも接着力の弱い接着用貼着剤塗布部５が設けられている。
【００２３】
図３は、本発明の一実施形態に係る包装材１の外フィルム１１のみの底面図（外フィルム１１のみの裏面側の図）である。図３に示すように、ラベル３は、引き裂き部２を引き裂いて開口する際、大きな開口にしたい適宜の箇所に、開口用貼着剤塗布部４が位置するように引き裂き部２に貼着される。
【００２４】
開口用貼着剤塗布部４は、その引き裂き開始側が前記引き裂き部２の幅内に位置すると共に、引き裂き終了側が前記引き裂き部２の幅外に位置するように、左右方向の幅が引き裂き方向に向けて漸次増大する形状を有する。
【００２５】
具体的には、図３に示すように、角丸略三角形状のラベル３の貼着面３２の略中央よりも上方側から下縁１５にかけて、略三角形状の開口用貼着剤塗布部４が設けられている。その略三角形状の開口用貼着剤塗布部４の頂部を引き裂き部２の引き裂き側の幅内に位置させると共に、底辺の両端が引き裂き部２の引き裂き終了側の幅外にそれぞれ位置するように外フィルム１１に貼着させて、左右方向の幅が引き裂き方向に向けて漸次増大する形状となるようにしている。開口用貼着剤塗布部４の形状は上述した略三角形状に限られず、上底よりも下底の長い略台形形状（略等脚台形状が好ましい）の開口用貼着剤塗布部４の上底を引き裂き部２の引き裂き側の幅内に位置させ、下底の両端が引き裂き部２の引き裂き終了側の幅外にそれぞれ位置するように外フィルム１１に貼着させることもできる。また、詳述はしないが、略菱形状等種々の形状にすることもできる。
【００２６】
ラベル３の貼着面３２の開口用貼着剤塗布部４に対応する箇所に、接着剤等の貼着剤が塗布されている。この貼着剤は、引き裂き部２が開口用貼着剤塗布部４に差し掛かったときに、外フィルム１１から、当該部分のラベル３が剥がれず、当該部分に案内されて、外フィルム１１が開口可能な接着強度を有する。
【００２７】
接着用貼着剤塗布部５は、開口用貼着剤塗布部４が設けられていない部分のラベル３の貼着面３２と外ラベル３とを接着するもので、運搬時等にラベル３が意図せず剥がれることを防止でき、引き裂き部２を引き裂く際に容易に剥がれればよい。
【００２８】
開口用貼着剤塗布部４の接着剤は、引き裂き用の強接着剤、接着用貼着剤塗布部５は、普通は接着しているが引っ張られると容易に剥がれる性質を有する剥離用の接着剤といった異なる接着剤を使用しても良い。また、異なる接着剤を使用することなく、開口用貼着剤塗布部４と接着用貼着剤塗布部５に塗布する接着剤の量、塗布面積、塗布密度を異ならせる等の塗付調整をすることによって、接着用貼着剤塗布部５の接着力を開口用貼着剤塗布部４の接着力よりも弱く設定するようにしてもよい。
【００２９】
本実施形態における接着用貼着剤塗布部５は、図３に示すように、ラベル３の上方側であって、引き裂き部２の両外側に、それぞれ円形状の接着用貼着剤塗布部５が設けられている。この接着用貼着剤塗布部５は、開口用貼着剤塗布部４に使用した接着剤と同じ接着剤をスポット的に塗布している。なお、接着用貼着剤塗布部５は、開口用貼着剤塗布部４を除く貼着面３２全面に剥離用の接着剤を塗布しても良い。
【００３０】
また、外フィルム１１の開口用貼着剤塗布部４の位置に対応する部分に、引き裂き方向に向けて、前記引き裂き部２の幅内から幅外に向かう弱め線又は切断線６を設けることができる。ここで、弱め線とは、他の領域よりも接続が弱い線を意味し、例えばミシン目、ハーフカット等のように、分離しやすいように加工されている線である。
【００３１】
具体的には、図４（外フィルム１１のみの裏面側の図）に示すように、開口用貼着剤塗布部４の左右縁（図４においては、略三角形状の開口用貼着剤塗布部４の両斜辺）よりもわずかに内側寄りであって、左右縁それぞれに略平行となるように弱め線又は切断線６を設けることが好ましい。この弱め線又は切断線６は、衛生面及びシート状食品８の湿気等を防止するために、開口用貼着剤塗布部４よりも内側に形成されることが好ましい。
【００３２】
このような構成によれば、引き裂き部２を引き裂く際に、弱め線又は切断線６に差し掛かったところでこれらに案内され、さらに容易に大きな開口を得ることができる。
【００３３】
内フィルム１２は、それぞれ外フィルム１１と同様の材質で、左右の長さが外フィルム１１の半分よりも長く、上下方向の長さは外フィルム１１と略同一である。なお、包装材１は、一枚のフィルムを折り曲げて形成することもできる。
【００３４】
包装材１は、摘み片付近を除く周縁部における外フィルム１１と内フィルム１２とがヒートシールにより接着されて袋状となり、シート状食品８の収納部となっている。
【００３５】
次に、包装材１でおにぎり７を包装しておにぎり７包装体を完成させる工程について説明する。
【００３６】
まず、図５に示すように、収納部にシート状食品８を収納した状態の包装材１の内フィルム１２側を上側にして、包装材１の上側部分におにぎり７の三角形状の表面側が接するように載置する。次に、包装材１の下側部分を持ち上げ、図５に示すように、おにぎり７の底面付近で折り曲げて、おにぎり７の裏面と内フィルム１２とが接するようにして包装材１をおにぎり７に被せる。次に、包装材１の下側部分の両角部をおにぎり７の左右の傾斜面にそれぞれ折り込み、次いで、包装材１の上側部分の両角部をおにぎり７の左右の傾斜面にそれぞれ折り込んだ後、シール等の接続部材で固定し、図６に示すようなおにぎり包装体が完成する。
【００３７】
次に、このおにぎり７包装体を開封する方法について説明する。
【００３８】
図７に示すように、まず摘み部２３を摘まんで引き裂き部２を引き裂き方向に引き裂くことにより、引き裂き部２の幅に応じた開口部が現れる。次いで、引き裂き部２がラベル３位置に到達することにより、ラベル３が手前に引っ張られ接着用貼着剤塗布部５が剥がれる。次いで、引き裂き部２が開口用貼着剤塗布部４に差し掛かったとき、当該部分が、外フィルム１１に接着強度が強い貼着剤によって強固に貼着されているため、開口用貼着剤の外縁に沿って外フィルム１１が引き裂かれる。この開口用貼着剤塗布部４は、その引き裂き開始側が前記引き裂き部２の幅内に位置すると共に、引き裂き終了側が前記引き裂き部２の幅外に位置するように、左右方向の幅が引き裂き方向に向けて漸次増大する形状を有するので、引き裂き部２を引き裂き方向に引き裂くだけで、外フィルム１１が開口用貼着剤塗布部４の外縁に案内されながら、引き裂き方向に向けて開口用貼着部塗布部の形状に対応した大きな開口が徐々に現れる。次いで、引き裂き部２が、開口用貼着剤塗布部４を過ぎると、開口用貼着剤塗布部４の最大幅と略同一の幅を維持した開口が現れる。次いで、その引き裂き部２を全て引き裂くことによって、包装材１が左右に分断する。次いで、分断した左右の前記包装材１のそれぞれの側縁部１３をそれぞれ引っ張って取り去ることにより、おにぎり７にシート状食品８が被さった状態となる。
【００３９】
このように、容易に大きな開口を得られるのでシート状食品８が破壊されることなく、おにぎり包装体から体裁のよいおにぎり７を取り出すことができる。
【００４０】
また、外フィルム１１の開口用貼着剤塗布部４の位置に対応する部分に、引き裂き方向に向けて、前記引き裂き部２の幅内から幅外に向かう弱め線又は切断線６を設けておけば、さらに、大きな開口を容易に得ることができる。また、弱め線又は切断線６によって案内されるので、これらを設けないのと比べて、開口用接着剤塗布部の接着力を弱くすることができる。
【００４１】
本実施形態に係るおにぎり７包装体に使用される外フィルム１１は、ラベル３の貼着面３２に設けられた開口用貼着剤塗布部４によって、引き裂き方向を変えるため、方向性を持たせていないフィルム、例えば、縦と横の２方向に延伸された２軸延伸ポリプロピレンを使用することが好ましい。
【００４２】
以上のように、本発明の包装材１によれば、従来のような変則的な形状のカットテープ２１を用いることなく、商品等表示に通常用いられるラベル３を貼着させるだけで、大きな開口を容易かつ低廉に得ることができる、また、従来の製造工程を利用して製造することができる。
【００４３】
以上のとおり、図面を参照しながら本発明の好適な実施形態を説明したが、本発明の趣旨を逸脱しない範囲内で、種々の追加、変更または削除が可能である。したがって、そのようなものも本発明の範囲内に含まれる。
【符号の説明】
【００４４】
１    おにぎり包装材
１１  外フィルム
１２  内フィルム
１３  側縁部
１４  上縁
１５  下縁
２    引き裂き部
２１  カットテープ
２２  切込み
２３  摘み部
３    ラベル
３１  表示面
３２  貼着面
４    開口用貼着剤塗布部
５    接着用貼着剤塗布部
６    切断線
７    おにぎり
８    シート状食品
【図１】
2015029424.tif 000003
【図２】
2015029424.tif 000004
【図３】
2015029424.tif 000005
【図４】
2015029424.tif 000006
【図５】
2015029424.tif 000007
【図６】
2015029424.tif 000008
【図７】
2015029424.tif 000009